(57)【要約】【課題】  遺骨粉を高温処理により小さい鈴形態の結晶体に製造する遺骨結晶体製造機を提供する。【解決手段】本発明に係る遺骨結晶体製造機は、遺骨粉が投入される骨粉桶４１と、遺骨粉が高温加熱されて溶融される加熱炉４２と、加熱炉４２に熱源を提供する加熱機構４５から構成され、加熱炉４２の排出口５２０側の下方に設けられるスピンドルプレート１０と、スピンドルプレート１０と駆動モータ７４を連結するための回転軸２５の回転により上・下に振動する振動容器２０と、スピンドルプレート１０及び振動容器２０を支持するためにハウジング４６内でその一端が支持固定される支持ブラケット３０と、支持ブラケット３０により支持される振動容器２０の直下方に位置して生成した遺骨結晶体Ｒを冷却収集するために送風機５４ａ、５４ｂ、５４ｃを備えた冷却収集機５０を有することを特徴とする。【選択図】  図６
2007050232.tif 000002
【特許請求の範囲】
【請求項１】
火葬後に収拾された遺骨粉が投入される骨粉桶と、前記骨粉桶を通じて投入された遺骨粉が高温加熱されて溶融される加熱炉を含み、前記加熱炉は支持軸を媒介にしてハウジングの一側に支持され、支持軸の一端には回転取っ手が備えられて、前記加熱炉を操作することができ、前記加熱炉の一側にはこのような加熱炉に熱源を提供する加熱機構が備えられた遺骨結晶体製造機であって、
前記加熱炉の排出口側の下方に設けられる一方、駆動モータにより高速回転しながら前記加熱炉を通じて排出される遺骨溶融物に遠心力を加えて小さい鈴形態の結晶体に結晶化させるスピンドルプレートと、
前記スピンドルプレートがその内部に位置する一方、一側は開放されて排出ロが形成されており、中央の底面には前記スピンドルプレートと駆動モータを連結するための回転軸が貫通すると共に、同時に前記回転軸とはカム連結されて前記駆動モータの駆動による回転軸の回転により上・下に振動する振動容器と、
前記スピンドルプレート及び振動容器を支持するためにハウジング内でその一端が支持固定される支持ブラケットと、
前記支持ブラケットにより支持される振動容器の直下方に位置してスピンドルプレート及び前記振動容器を経ながら生成した遺骨結晶体を冷却し収集するために多数の送風機を備えた冷却収集機と、
を含んで構成されることを特徴とする遺骨結晶体製造機。
【請求項２】
前記スピンドルプレートは、加熱炉から排出される高温の遺骨溶融物がその表面に焼け付かないで、遠心力の影響を受けて外側に容易にスライディングされながら抜け出ることができるようにテフロン（登録商標）樹脂により全面コーティング処理されることを特徴とする請求項１に記載の遺骨結晶体製造機。
【請求項３】
前記振動容器の一側にはブロワーが更に備えられ、このようなブロワーからは送風管が延び、かつ、送風管の排出先端部は振動容器の後方の先端に固定されてスピンドルプレート側に遺骨結晶体の冷却のための強い送風力を提供できるように構成されることを特徴とする請求項１に記載の遺骨結晶体製造機。
【請求項４】
前記スピンドルプレートの上部面及び底面にはこの面から一定の隔離距離を置いて上・下部の噴霧ノズルが各々更に設けられて、スピンドルプレートの表面及び裏面に各々冷却水を噴霧するように構成されることを特徴とする請求項１に記載の遺骨結晶体製造機。
【請求項５】
前記上・下部の噴霧ノズルのうち、上部噴霧ノズルはこのような噴霧ノズルを通じて噴霧される冷却水の噴霧量及び噴霧粒子の大きさが調節できるようにノズルの結着口の先端に調節部材がねじ結合された構成からなることを特徴とする請求項４に記載の遺骨結晶体製造機。
【請求項６】
前記下部噴霧ノズルは、超音波発進素子を有する冷却水貯蔵タンクと管を通じて連結されて噴霧ノズルから超微粒粒子化した冷却水が噴出されるように構成されることを特徴とする請求項４に記載の遺骨結晶体製造機。
【請求項７】
前記支持ブラケットは、リードスクリューと駆動モータ、そして、リードスクリューと噛み合う回動板からなる角度調節装置を媒介にしてハウジングの一側に固定されて、その傾きが調節できるように構成され、前記角度調節装置と支持ブラケットの先端部との間には取っ手を有するリードスクリューとシャードル及びこのシャードル上において上・下方向に移送される縦移送台を含んだ高さ調節装置が介入されて支持ブラケットの高さが調節できるように構成されることを特徴とする請求項１に記載の遺骨結晶体製造機。
【請求項８】
前記振動容器は、ダンパーを媒介にして前記支持ブラケット上に支持固定されて前記ダンパーを介してその振動力が吸収または緩和できるように構成されることを特徴とする請求項１に記載の遺骨結晶体製造機。
【請求項９】
前記ダンパーは圧縮スプリングであることを特徴とする請求項８に記載の遺骨結晶体製造機。
【請求項１０】
前記冷却収集機は、
上部が開口されたボックス形状であって、底面の一側には排出口が貫通形成され、このような排出口と隣接した底面のコーナー領域には緩やかな曲線形態でラウンド部が形成された胴体と、
前記ラウンド部と対向する胴体の底面の他側コーナー領域に設けられて、胴体の内側の底面側に強い送風力を提供する第１送風機と、
前記胴体の排出口の直上部の延長線上の隔壁に設けられて、前記第１送風機と一定高さ離隔された状態でこれと対向する方向に送風力を提供する第２送風機と、
前記送風機の送風力により冷却されながら移動された遺骨結晶体が排出口を通じて外部に抜け出す際、これを収集するために前記排出口に引出可能に結合される収集桶と、
を含んで構成されることを特徴とする遺骨結晶体製造機。
【請求項１１】
前記胴体の開口された上段部の一側には、前記開口された上段部を覆いながら送風機を通じて提供された風だけ外部に抜け出られるようにグリル形態の蓋が更に設けられることを特徴とする請求項１０に記載の遺骨結晶体製造機。
【請求項１２】
前記胴体の底面にはこれを容易に移動させることができるようにキャスターが更に備えられることを特徴とする請求項１０に記載の遺骨結晶体製造機。
【請求項１３】
前記第２送風機が設けられる隔壁の前方の送風出口側には、送風角度調節のための送風ノズルが更に設けられ、かつ、このような送風ノズルはスタッドボルトＳを媒介にして胴体に牽引されて前記スタッドボルトＳの締め力の変化によってその上・下角が調節されるように構成されることを特徴とする請求項１０に記載の遺骨結晶体製造機。
【請求項１４】
前記第１送風機に近接した胴体のコーナー領域の底側には、前記第１送風機の送風方向と垂直した方向に上向き式送風力を提供して胴体の底に落下する遺骨結晶体の衝撃を最小化できるように第３送風機が更に設けられることを特徴とする請求項１０に記載の遺骨結晶体製造機。
【請求項１５】
前記第３送風機はこれと垂直した方向に送風力を提供する第１送風機に比べて少なくとも弱い送風力を提供するようにして、底側に落下する遺骨結晶体が底に衝激しないようにしながら第１送風機の送風力の影響を受けて排出口側に円滑に移動できるように構成されることを特徴とする請求項１４に記載の遺骨結晶体製造機。
【発明の詳細な説明】
【技術分野】
【０００１】
本発明は、遺骨結晶体製造機に関し、特に、火葬後に発生した亡者の遺骨粉を高温処理により小さい鈴形態の結晶体で製造して、遺骨の保管及び管理を容易にすることは勿論、保管時に遺骨に対する嫌悪感及び視覚的な拒否感が解消できるようにし、延いては、火葬文化を奨励して墓地不足の深刻な社会問題が解決できるようにした遺骨結晶体製造機に関する。
【背景技術】
【０００２】
東洋の儒教文化圏では先祖の屍を毀損してはいけないという孝思想と風水地理説などにより屍の火葬よりは埋葬を好んで、誇示的性向に基づいて亡者の墓を華麗で、かつ、広く飾ろうとする傾向があって、限定された国土の面積に墓地の面積が日増しに増加するので、墓地の絶対的な不足及びそれに伴う国土利用面積の減少が問題となっており、このような現状は我が国のように人口密度が高くて国土面積が狭い国では墓地不足現象を深化させて深刻な社会問題として認識されている。したがって、最近は、これを解決するための方案として、国家では埋葬より火葬を勧告しており、ここに、葬礼法の改正と国民意織の変化に起因して火葬文化が急速に広がっている実状である。
【０００３】
火葬文化には火葬により得られた骨粉を山や江等の適当な場所にばら撒いて亡者の魂を慰めたり（散骨という）、納骨箱（または、“遺骨保管箱”という）と呼ばれる容器体に骨粉を込めて寺刹や納甘堂などに保管及び管理して遺族が周期的にお尋ねして、祭儀式を行う形態でなされているが、散骨の湯合には、公害問題及び周辺人々をして嫌悪感を惹起させて、特に故人との断絶感が生じるという理由で、近来にはこれを止揚している実状である。これによって、最近、後者の納骨箱を利用した納骨堂または寺刹などに安置保管する火葬文化が盛んに行われている実状であり、政府でもこれを積極的に奨励している。
【０００４】
しかしながら、従来、火葬した遺骨を納骨箱に入れて納骨堂に保管する場合、遺骨を収拾して保管することに困難があったのであり、遺骨が視覚的によくないため、人々をして嫌悪感を惹起させる恐れがあったのであり、特に、火葬後に収拾された遺骨を粉形態にきれいに砕いた後、納骨箱に入れて長期間保管すれば外部との気温差により納骨箱の内壁にかび、細菌などの有害微生物などの増殖により遺骨粉が腐敗する等の問題があった。
【０００５】
したがって、これを解決するために、大韓民国特許公開第２００２−９１１４９号では“遺骨結晶体製造方法及びその製造装置”という題目で亡者の遺骨粉を視覚的に嫌悪感がなく、かつ、長い間の時間にも腐敗しない球状の結晶体で製造する技術が本出願人により提案されて特許登録を受けたことがある。
【０００６】
前記公報に開示された遺骨結晶体製造機に対する構成を概略的に見れば、図１乃至図２に示すように、火葬後に収拾された遺骨粉が投入される骨粉桶４１と、前記骨粉桶４１を通じて投入された遺骨粉が高温加熱されて溶融される加熱炉４２を含む。前記加熱炉４２は支持軸４３を媒介にしてハウジング４６の一側に支持され、支持軸４３の一端には回転取っ手４４が備えられて、前記加熱炉４２を操作できるようになっている。また、前記加熱炉４２の一側にはこのような加熱炉４２に熱源を提供する加熱機構４５が備えられ、加熱炉４２の排出口側の下方には加熱炉４２を通じて排出される遺骨溶融物が大気中で冷却されながら小さい玉形態の結晶体に結晶化される第１通路部材５１ａ、第２通路部材５１が備えられている。
【０００７】
このような構成からなった従来の結晶体製造機は、火葬後に収拾された遺骨粉を骨粉桶を通じて加熱炉４２に入れて、加熱機構を利用して１５００℃乃至３５００℃の超高温範囲で加熱させて溶融させた後、加熱炉を傾けて溶融された遺骨溶融物を傾斜するように設けられた第１通路部材５１ａに少しずつ注ぐと、前記第１通路部材に落ちた溶融物質は傾斜した第２通路部材５１に沿って流れ下りながら球形の結晶体に結晶化が進行すると共に、大気により冷却され、これを経た遺骨結晶体は底面に設けられたセラミック製の粉末冷却桶の胴体５２側に移動されて、ここで最終冷却処理されるようになる。
【０００８】
しかしながら、このような従来の構成は加熱炉を通じて排出された遺骨溶融物が第１通路部材に沿って流れ下りながら大気により冷却されて自然的に鈴形態の遺骨結晶体が形成できるように構成されているので、製造される結晶体の粒子の大きさが均一でなく、特に加熱炉の操作未熟により一時的に多量の溶融物が注がれると遺骨溶融物が十分に分離できなくて塊りになったまま通路部材を経て外部に抜け出す現状が発生して希望する小さい鈴形態の結晶体が得られなかった。したがって、加熱炉を通じて排出される遺骨溶融物が塊りになることを防止するためには、取っ手４４を反復操作して加熱炉から排出される溶融物が極小量ずつ外部に排出されるようにしなければならないが、このようにすれば、結晶体を製造することにあまりに多くの時間がかかるので効率的でない問題がある。
【特許文献１】大韓民国特許公開第２００２−９１１４９号
【発明の開示】
【発明が解決しようとする課題】
【０００９】
本発明は、前記の従来の問題を解決するためのものであって、加熱炉排出地点の下方に高速で回転するスピンドルプレートを置いて、前記加熱炉から排出される溶融状態の遺骨溶融物に遠心力を加えるようにすることによって、塊りがなく、かつ、均一な粒子大きさを有する小さい鈴形態の遺骨結晶体が得られ、遺骨結晶体の生成にかかる時間を顕著に短縮させることができるので、生産性向上を期待することができる遺骨結晶体製造機を提供することをその目的とする。
【００１０】
また、本発明の他の目的は、前記スピンドルプレートの下方に多数の送風機を備えた冷却収集機を置いて、前記スピンドルプレートを経ながら鈴形態で結晶化された遺骨結晶体を表面の傷と塊り無しに、速く冷却させて一ケ所に収集させることができるようにすることによって、遺骨結晶体の量産性と品質をより向上させることができる遺骨結晶体製造機を提供することにある。
【課題を解決するための手段】
【００１１】
上記課題を解決するために、本考案は下記の特徴を有する遺骨結晶体製造機を提供する。
１．請求項１に記載の遺骨結晶体製造機は、火葬後に収拾された遺骨粉が投入される骨粉桶と、前記骨粉桶を通じて投入された遺骨粉が高温加熱されて溶融される加熱炉を含み、前記加熱炉は支持軸を媒介にしてハウジングの一側に支持され、支持軸の一端には回転取っ手が備えられて、前記加熱炉を操作することができ、前記加熱炉の一側にはこのような加熱炉に熱源を提供する加熱機構が備えられた遺骨結晶体製造機であって、前記加熱炉の排出口側の下方に設けられる一方、駆動モータにより高速回転しながら前記加熱炉を通じて排出される遺骨溶融物に遠心力を加えて小さい鈴形態の結晶体に結晶化させるスピンドルプレートと、前記スピンドルプレートがその内部に位置する一方、一側は開放されて排出ロが形成されており、中央の底面には前記スピンドルプレートと駆動モータを連結するための回転軸が貫通すると共に、同時に前記回転軸とはカム連結されて前記駆動モータの駆動による回転軸の回転により上・下に振動する振動容器と、前記スピンドルプレート及び振動容器を支持するためにハウジング内でその一端が支持固定される支持ブラケットと、前記支持ブラケットにより支持される振動容器の直下方に位置してスピンドルプレート及び前記振動容器を経ながら生成した遺骨結晶体を冷却し収集するために多数の送風機を備えた冷却収集機と、を含んで構成されることを特徴とする。
２．請求項２に記載の遺骨結晶体製造機は、請求項１の場合において、前記スピンドルプレートは、加熱炉から排出される高温の遺骨溶融物がその表面に焼け付かないで、遠心力の影響を受けて外側に容易にスライディングされながら抜け出ることができるようにテフロン（登録商標）樹脂により全面コーティング処理されることを特徴とする。
３．請求項３に記載の遺骨結晶体製造機は、請求項１の場合において、前記振動容器の一側にはブロワーが更に備えられ、このようなブロワーからは送風管が延び、かつ、送風管の排出先端部は振動容器の後方の先端に固定されてスピンドルプレート側に遺骨結晶体の冷却のための強い送風力を提供できるように構成されることを特徴とする。
４．請求項４に記載の遺骨結晶体製造機は、請求項１の場合において、前記スピンドルプレートの上部面及び底面にはこの面から一定の隔離距離を置いて上・下部の噴霧ノズルが各々更に設けられて、スピンドルプレートの表面及び裏面に各々冷却水を噴霧するように構成されることを特徴とする。
５．請求項５に記載の遺骨結晶体製造機は、請求項４の場合において、前記上・下部の噴霧ノズルのうち、上部噴霧ノズルはこのような噴霧ノズルを通じて噴霧される冷却水の噴霧量及び噴霧粒子の大きさが調節できるようにノズルの結着口の先端に調節部材がねじ結合された構成からなることを特徴とする。
６．請求項６に記載の遺骨結晶体製造機は、請求項４の場合において、前記下部噴霧ノズルは、超音波発進素子を有する冷却水貯蔵タンクと管を通じて連結されて噴霧ノズルから超微粒粒子化した冷却水が噴出されるように構成されることを特徴とする。
７．請求項７に記載の遺骨結晶体製造機は、請求項１の場合において、前記支持ブラケットは、リードスクリューと駆動モータ、そして、リードスクリューと噛み合う回動板からなる角度調節装置を媒介にしてハウジングの一側に固定されて、その傾きが調節できるように構成され、前記角度調節装置と支持ブラケットの先端部との間には取っ手を有するリードスクリューとシャードル及びこのシャードル上において上・下方向に移送される縦移送台を含んだ高さ調節装置が介入されて支持ブラケットの高さが調節できるように構成されることを特徴とする。
８．請求項８に記載の遺骨結晶体製造機は、請求項１の場合において、前記振動容器は、ダンパーを媒介にして前記支持ブラケット上に支持固定されて前記ダンパーを介してその振動力が吸収または緩和できるように構成されることを特徴とする。
９．請求項９に記載の遺骨結晶体製造機は、請求項８の場合において、前記ダンパーは圧縮スプリングであることを特徴とする。
１０．請求項１０に記載の遺骨結晶体製造機は、請求項１の場合において、前記冷却収集機は、上部が開口されたボックス形状であって、底面の一側には排出口が貫通形成され、このような排出口と隣接した底面のコーナー領域には緩やかな曲線形態でラウンド部が形成された胴体と、前記ラウンド部と対向する胴体の底面の他側コーナー領域に設けられて、胴体の内側の底面側に強い送風力を提供する第１送風機と、前記胴体の排出口の直上部の延長線上の隔壁に設けられて、前記第１送風機と一定高さ離隔された状態でこれと対向する方向に送風力を提供する第２送風機と、前記送風機の送風力により冷却されながら移動された遺骨結晶体が排出口を通じて外部に抜け出す際、これを収集するために前記排出口に引出可能に結合される収集桶と、を含んで構成されることを特徴とする。
１１．請求項１１に記載の遺骨結晶体製造機は、請求項１０の場合において、前記胴体の開口された上段部の一側には、前記開口された上段部を覆いながら送風機を通じて提供された風だけ外部に抜け出られるようにグリル形態の蓋が更に設けられることを特徴とする。
１２．請求項１２に記載の遺骨結晶体製造機は、請求項１０の場合において、前記胴体の底面にはこれを容易に移動させることができるようにキャスターが更に備えられることを特徴とする。
１３．請求項１３に記載の遺骨結晶体製造機は、請求項１０の場合において、前記第２送風機が設けられる隔壁の前方の送風出口側には、送風角度調節のための送風ノズルが更に設けられ、かつ、このような送風ノズルはスタッドボルトＳを媒介にして胴体に牽引されて前記スタッドボルトＳの締め力の変化によってその上・下角が調節されるように構成されることを特徴とする。
１４．請求項１４に記載の遺骨結晶体製造機は、請求項１０の場合において、前記第１送風機に近接した胴体のコーナー領域の底側には、前記第１送風機の送風方向と垂直した方向に上向き式送風力を提供して胴体の底に落下する遺骨結晶体の衝撃を最小化できるように第３送風機が更に設けられることを特徴とする。
１５．請求項１５に記載の遺骨結晶体製造機は、請求項１４の場合において、前記第３送風機はこれと垂直した方向に送風力を提供する第１送風機に比べて少なくとも弱い送風力を提供するようにして、底側に落下する遺骨結晶体が底に衝激しないようにしながら第１送風機の送風力の影響を受けて排出口側に円滑に移動できるように構成されることを特徴とする。
【発明の効果】
【００１２】
以上、考察したように、本発明の遺骨結晶体製造機によれば、加熱炉排出地点の下方に高速で回転するスピンドルプレートが設けられて、前記加熱炉から排出される溶融状態の遺骨溶融物に遠心力を提供することによって、塊りがなく、かつ、均一な粒子大きさを有する、即ち、より良質の遺骨結晶体が得られる。
【００１３】
また、前記スピンドルプレートの下方には、多数の送風機を備えた冷却収集機が設けられることにより、前記スピンドルプレートを経ながら鈴形態でに結晶化された遺骨結晶体を表面傷と塊り無しに速く冷却させて一ケ所に収集させることができる。これによって、遺骨結晶体が得られることにかかる時間を顕著に短縮させることができる。
【発明を実施するための最良の形態】
【００１４】
以下、本発明の好ましい実施形態を添付の図面を参照しつつ詳細に説明する。本実施形態では先に図示された従来の構成と同一な部分に対して同一な図面参照符号及び名称を使用することにする。
【００１５】
添付図面の図３、図４、図５は、本発明に係る遺骨結晶体製造機の全体的な構成を示す斜視図とそれに対する正面及び側面概略構成図である。まず、遺骨結晶体製造機の全体的な構成を概略的に考察する。
【００１６】
図３乃至図５を参照すれば、本発明に係る遺骨結晶体製造機は、火葬後に収拾された遺骨粉が投入される骨粉桶４１と、前記骨粉桶４１を通じて投入された遺骨粉が高温加熱されて溶融される加熱炉４２が備えられる。前記加熱炉４２は支持軸４３を媒介にしてハウジング４６の一側に支持され、支持軸４３の一端には回転取っ手４４が備えられて、前記加熱炉４２を任意に操作できるようになっており、前記加熱炉４２の一側にはこのような加熱炉に熱源を提供するための加熱機構４５が備えられる。
【００１７】
また、加熱炉４２の排出口側の下方には加熱炉４２を通じて排出される遺骨溶融物を遠心作用により鈴形態の小さい球形体に結晶化させるスピンドルプレート１０が設けられる。
このようなスピンドルプレート１０は振動容器２０内に位置しながらこれに囲まれており、振動容器２０はダンパー２２を媒介にして支持ブラケット３０上に位置している。前記支持ブラケット３０には前記スピンドルプレート１０を稼動させるための駆動モータ２４が備えられ、モータ２４の回転軸は前記振動容器２０を貫通すると共にスピンドルプレート１０の底面の中央に結合される。
【００１８】
次に、前記支持ブラケット３０により支持される振動容器２０の直下方にはスピンドルプレート１０及び前記振動容器２０を経ながら生成された遺骨結晶体を冷却し収集する冷却収集機５０が備えられる。このような冷却収集機５０は、図３に示すように、ハウジング４６に一部が内設されるように設けられて、前記スピンドルプレート１０及び振動容器２０を経て排出される鈴形態の結晶体を冷却させると共に、収集する機能をする。
【００１９】
本発明に係る遺骨結晶体製造機の主要部構成を図４乃至図１３を参照してより具体的に考察する。
【００２０】
スピンドルプレート１０は、前記加熱炉４２を通じて排出される遺骨溶融物に遠心力を加えて小さい鈴形態、即ち、球形で遺骨結晶体が形成されるようにするためのものであって、図６に示すように、円板型構造からなる。このようなスピンドルプレート１０は振動容器２０内に位置し、図７に示すように、振動容器２０の底面を貫通しながら駆動モータ２４から延びた回転軸２５に結合されて高速回転する。ここで、前記スピンドルプレート１０は、加熱炉から排出される高温の遺骨溶融物がその表面に焼け付かないで、遠心力の影響を受けて外側に容易にスライディングされながら抜け出られるようにテフロン（登録商標）樹脂により全面コーティング処理されている。
【００２１】
振動容器２０は、一側が開放されて排出口が形成された容器形態であって、前記スピンドルプレート１０を経て均一な粒子大きさで、かつ、鈴形態で生成される結晶体の円満な排出のために、面と面が会う全ての縁部がラウンド処理されており、底面の中央には通孔が形成されて、これを前記スピンドルプレート１０の駆動のための駆動モータ２４の回転軸２５が貫通する。このような振動容器２０はダンパー２２を媒介にして支持ブラケット３０上に支持固定され、前記通孔を貫通する回転軸とはカム（図示していない）連結されて前記駆動モータの駆動による回転軸２５の回転により、上・下に振動しながら結晶化がある程度進行した遺骨結晶体を外部に排出させる。ここで、前記ダンパー２２には図面に図示されるように、圧縮スプリングを適用することが好ましいが、高弾性ラバー（Ｒｕｂｂｅｒ）材質の緩衝材を適用しても同一な効果を期待することができる。
【００２２】
前記のような振動容器２０の一側の支持ブラケット３０上にはブロワー３５が備えられる。このようなブロワー３５からは送風管３６が延びて、延びた送風管の先端部３６０は振動容器２０の後方の先端に固定されて前記スピンドルプレート１０側に遺骨結晶体の冷却のための強い送風力を提供する。
【００２３】
支持ブラケット３０は、図７に示すように、¬形態で折り曲げられた構成からなる。このような支持ブラケットは、その一端のみハウジングに固定された片持ちばり形態であって、自由端側の先端の上部には、前述したように、振動容器２０がダンパー２２を媒介にして固定されている。このような支持ブラケット３０の固定端である他側先端は角度調節装置７０を媒介にしてハウジングに連結され、前記角度調節装置７０と支持ブラケット３０との間には高さ調節装置８０が介入される。これによって、本発明は、前記角度調節装置７０及び高さ調節装置８０の操作を通じて振動容器２０が含まれた前記スピンドルプレート１０の傾斜角及び加熱炉４２からの離隔距離を調節できるものである。
【００２４】
前記角度調節装置７０及び高さ調節装置８０に対しては、図８を通じてその構成が詳細に開示されている。
【００２５】
図８を参照すれば、前記角度調節装置７０は、リードスクリュー７２とこのリードスクリュー７２の先端に延設される駆動モータ７４及びリードスクリュー７２と噛み合う回動板７６を含む。このような角度調節装置は、図示していない制御盤のスイッチング動作によって駆動モータ７４が回転してリードスクリュー７２を駆動させ、このリードスクリュー７２の回転によってこれと噛み合った回動板７６が回しながら支持ブラケット３０の角度を調節する。
【００２６】
そして、前記高さ調節装置８０は、取っ手８３を有するリードスクリュー８２とシャードル８４及びこのシャードル８４上から上・下方向に移送される縦移送台８６を含んだ構成からなり、取っ手８３の回転によるリードスクリュー８２の駆動によりシャードル８４上で縦移送台８６が上・下方向に昇降しながら支持ブラケットの高さを調節する。
【００２７】
一方、図９乃至図１２は、本発明に適用された冷却収集機に対する構成を示す図面であって、図９は冷却収集機５０に対する全体的な構成を概略的に表している。これら図面に示すように、前記冷却収集機５０は一定の体積を有しながら上部が開口された胴体５２と、胴体５２の適所に設けられる多数の送風機５４ａ、５４ｂ、５４ｃを含んだ構成からなる。  
【００２８】
図９を参照して具体的に考察すると、胴体５２は一定の体積を有しながら上部が開口されたボックス型構造であって、その内部底面の一側には地面側と連通されて遺骨結晶体が抜け出ることができる排出口５２０が形成され、前記排出口５２０と近接した胴体１の底面の一側のコーナー領域には緩やかな曲線形態でラウンドしたラウンド部５２２が形成される。そして、前記ラウンド部５２２と対向する胴体５２の他側の底面のコーナー領域には、前記排出口５２０側に強い送風力を提供して底面側に空気流動層が形成されるようにする第１送風機５４ａが設けられて、前記胴体５２の排出口の直上部の延長線上の胴体５２の内部には隔壁５３が設けられ、このような隔壁５３には前記第１送風機５４ｂと対向する方向に強い送風力を提供する第２送風機５４ｂが設けられる。また、前記第１送風機５４ａに近接した胴体５２のコ−ナー領域の底面には、前記第１送風機５４ａの送風方向と直交する方向に上向き式送風力を提供して落下する遺骨結晶体の衝撃を最小化できるようにするための第３送風機５４ｃが設けられる。
【００２９】
次に、前記胴体５２の排出口５２０には、前記送風機５４により冷却されながら移動した遺骨結晶体が収集される収集桶５６が結合され、前記胴体５２の開口された上段部の一側にはこのような開口部を覆いながら第１送風機５４ａによる風は外部に抜け出るようにグリル網形態の蓋５７が設けられる。そして、胴体５２の底面の四隅にはこれを容易に移動させることができるようにキャスター５８が取り付けられる。
【００３０】
ここで、前記１第１送風機５４ａは、図１０で示すように、送風機側から胴体側へ外拡張されながらその開口端が所定の幅と長手方向に長く開口した送風ノズル５５が連結されて送風ノズル５５を通じて胴体５２底面に強い送風力を提供しながら空気流動層を形成できるようになっている。
【００３１】
そして、前記第２送風機５４ｂは、図９及び図１１で示すように、その出口側に送風角度調節のための送風ノズル５９が設けられるが、このような送風ノズル５９はスタッドボルト（Ｓ）を媒介にして胴体５２の一側に牽引されて前記スタッドボルト（Ｓ）の締め力の変化によって送風角度を調節できるようになっている。
【００３２】
また、前記収集桶５６は、図１２に示すように、排出口５２０の先端に形成されたフランジ５２２に胴体５２の幅方向に引出可能に結合される。即ち、収集桶５６の一面には取っ手５６０が取り付けられており、このような取っ手５６０を把持した状態で胴体側に引くと、前記収集桶５６が胴体５２から簡単に分離できる構造である。勿論、前記収集桶５６は、図示された引出型分離式だけでなく、別途の脱着手段を設けて脱着型にすることもでき、その引出される方向も図示された形態のみに限るものではない。
【００３３】
以下、前記のような構成からなる本発明の作動及び効果について考察する。
【００３４】
図１３乃至図１４は、本発明の遺骨結晶体製造機により遺骨結晶体が製造される過程を示す作動状態図である。
【００３５】
図１３乃至図１４を参照すれば、火葬後に収拾された遺骨粉を骨粉桶を通じて加熱炉４２に投入させた後、加熱炉の側部に設けられた加熱機構４５（図４に図示される）を稼動させて２０００℃乃至３０００℃の超高温範囲で遺骨粉を加熱して完全溶融させる。加熱炉４２に含まれた遺骨が溶融されて液体状態になれば、図１３のように取っ手操作を通じて加熱炉４２を一方向に傾けて遺骨溶融物を駆動モータにより一定の速度で回転するスピンドルプレート１０上に均一な流速で流す。
【００３６】
スピンドルプレート１０に落ちる遺骨溶融物は、高速回転する前記スピンドルプレート１０の遠心力によりスピンドルプレート１０の外側に飛び出しながら均一な粒度で、かつ、小さい鈴形態の結晶体をなすことになる。このような過程を通じて生成された遺骨結晶体は、スピンドルプレートの外側の振動容器２０の内壁に沿って底面へ移動する。
【００３７】
この際、前記スピンドルプレート１０は、その表面の全面に亘ってテフロン（登録商標）樹脂によりコーティング処理されているため、加熱炉から落下する高温の遺骨溶融物は、スピンドルプレート１０の表面に焼け付かないで、遠心力が作用する外側に容易に滑り出すことができ、振動容器２０の一側にはブロワー３５からの風を供給する送風管３６が設けられており、回転円板１０を経て結晶化が進行する遺骨結晶体の冷却を助ける。同時に、前記振動容器２０は、前記スピンドルプレート１０を駆動させるモータとカム連結されて上・下に振動する。これによって、前記スピンドルプレート１０を経て結晶化された遺骨結晶体が容器の表面に焼け付かないで、振動容器２０の排出口２２方向に容易に排出できるものである。
【００３８】
次に、前記スピンドルプレート１０及び振動容器２０を経ながらある程度結晶化が進行した遺骨結晶体Ｒは、前記振動容器排出口２２を経て冷却収集機５０側に投入される。
【００３９】
このように、冷却収集機５０の内部に投入された遺骨結晶体Ｒはその自重により胴体の底側に落ちる過程で第２送風機５４ｂから強制送風される風（送風方向矢印参照）の影響を受けてもう一度冷却される。
【００４０】
ここで、前記第２送風機５４ｂの出口側に設けられる送風ノズル５９は、スタッドボルトＳを調節してその角度が調節できるので、投入される遺骨結晶体の体積及び自重によりその角度を適切に調節すれば、落ちる遺骨結晶体Ｒが送風力の影響を受けて他側に飛び出さず、かつ、適切に冷却されて底側に落ちるように誘導することができる。
【００４１】
上記のように、第２送風機５４ｂによる冷却後の胴体の内部の底側に落ちた遺骨結晶体は、胴体の内部の底側に強い送風力を提供して底面に空気流動層を形成する第１送風機５４ａ及び上向き送風力を提供する第３送風機５４ｃにより再度冷却されて硬化される。同時に、第１送風機５４ａの送風力の影響を受けて胴体５２の内部の底面の他側に形成された排出口５２０側に移動され、このように、排出口５２０側に移動した遺骨結晶体Ｒはその位置から自重の影響により収集桶５６側に落ちて収集された後、ここで最終冷却処理される。
【００４２】
ここで、前記第３送風機５４ｃは、これと交差する方向に送風力を提供する第１送風機５４ａに比べて少なくとも弱い送風力を有するように送風力の強さを調節することが重要である。このようにすれば、胴体の内部の底面側に落ちる遺骨結晶体Ｒが胴体の底面に衝激することを防止しながら第１送風機５４ａの影響を受けて底面に低く敷かれたまま排出口５２０側に円滑に移動することができる。仮りに、第３送風機５４ｃの送風力が第１送風機５４ａの送風力より強いと、胴体の内部の底面側に落ちる遺骨結晶体Ｒが第３送風機５４ｃの送風力の影響を受けてまた空中に浮揚しながら分散されて、第１送風機５４ａの送風影響を十分に受けられないので、排出口側に円滑が移動できないという問題が発生されるためである。
【００４３】
一方、上記のように、排出口５２０側に遺骨結晶体を載せて来た第１送風機５４ａによる風はラウンド部５２２を経て胴体の他側に形成された開口部を通じて外部に抜け出る（図１４の矢印方向参照）。この際、前記胴体５２の他側の開口部は数多くの孔が穿孔されたグリル網形態の蓋５７により塞がっている。したがって、第１送風機５４ａから吹いてくる風は遺骨結晶体Ｒを排出口５２０側に移動させた後、ラウンド部５２２を乗って上昇して蓋を経て外部に抜け出て、排出口５２０側に未だ落下できなくて送風力の影響を受けて前記開口部側に抜け出ようとする小さな遺骨結晶体は、蓋５７に掛かって排出されないので、作業途中に遺骨消失の虞が全くなくて、全量回収可能になるのである。
【００４４】
前述したように、本発明の好ましい実施形態によれば、スピンドルプレート１０による遠心力と振動容器２０の振動により加熱炉４２から排出される溶融状態の遺骨が塊りなしに一定の粒度を有しながら小さい鈴形状の結晶体で結晶化が進行し、結晶化された遺骨結晶体は冷却収集機５０により速く冷却されながら収集される。したがって、より良質の遺骨結晶体が得られ、遺骨結晶体の生産にかかる時間を顕著に短縮させることができるので、既存より良質の遺骨結晶体が早いうちに得られる。
【００４５】
一方、図１５は、本発明に遺骨結晶体製造機の他の実施形態を示す図であって、前記一実施形態のスピンドルプレートの周辺にこれを持続的に冷却させるための技術的手段が付加された構成を表す。即ち、本実施形態では高温の影響を受けるスピンドルプレートが過熱されて、その表面に溶融状態の遺骨が焼け付けるような弊害を防止するために、前記スピンドルプレート１０の周辺にこれを冷却させるための冷却手段を更に付加したことが要旨である。
【００４６】
本実施形態の構成を具体的に考察すると、図１５に示すように、スピンドルプレート１０を冷却させるために、スピンドルプレート１０の上面及び底面には、この面から一定の隔離距離を置いて、上部噴霧ノズル１２ａ、下部噴霧ノズル１２ｂが各々設けられる。このような上部噴霧ノズル１２ａ、下部噴霧ノズル１２ｂのうち、上部噴務ノズル１２ａは管を通じてポンプ（図示していない）と連結され、ポンプはまた管を通じて冷却水貯蔵タンク（図示していない）と連結される。そして、下部噴霧ノズル１２ｂは、超音波発進素子を有する冷却水貯蔵タンク１５と連結されて前記下部噴霧ノズル１２ｂから超微粒粒子化された冷却水が噴出できるように構成される。
【００４７】
ここで、前記上部噴霧ノズル１２ａはノズルの結着口の先端に調節部材１３を螺旋組立形態で結合させて前記調節部材１３の締め量によってノズルを通じて噴霧される冷却水の噴霧量及び噴霧粒子の大きさを調節できるように構成することが好ましい。
【００４８】
また、前記下部噴霧ノズル１２ｂは、図示されたように、噴霧ノズル１２ｂから噴出される噴霧粒子のうち、一部はスピンドルプレート１０側に噴出されるようにし、一部はスピンドルプレート１０の外側に噴出されて別途の噴霧領域（Ａ）を形成できるように噴霧ノズル１２ｂの噴出方向を調節することが好ましい。このようにすれば、スピンドルプレート１０とこのスピンドルプレート１０を経て排出される遺骨結晶体Ｒを同時に冷却させることができるためである。
【００４９】
このような他の実施形態によれば、スピンドルプレート１０の稼動と共に、このスピンドルプレート１０側に冷却水が噴霧されることによってスピンドルプレート１０は高温の遺骨溶融物による伝導熱の影響を受けないで、常に適正水準の温度を維持することができる。その結果、スピンドルプレート１０上に遺骨溶融物が焼け付かないで、プレートの外側に容易に飛び出られるようになることで、より良質の遺骨結晶体Ｒが得られる。
【００５０】
以上、説明したことは、本発明に係る遺骨結晶体製造機を実施するための一実施形態に過ぎないものであって、本発明は前記した実施形態に限られるものでなく、特許請求の範囲で請求するように、本発明の要旨から外れず当該発明が属する分野で通常の知織を有する者であれば誰でも多様な変更実施が可能な範囲まで、本発明の技術的精神があるべきものである。
【図面の簡単な説明】
【００５１】
【図１】従来の遺骨結晶体製造機の全体的な構成を示す概略構成図である。
【図２】図１による斜視図である。
【図３】本発明に係る遺骨結晶体製造機の全体的な構成を示す斜視図とそれに対する正面及び側面概略構成図（一）である。
【図４】本発明に係る遺骨結晶体製造機の全体的な構成を示す斜視図とそれに対する正面及び側面概略構成図（二）である。
【図５】本発明に係る遺骨結晶体製造機の全体的な構成を示す斜視図とそれに対する正面及び側面概略構成図（三）である。
【図６】本発明に係る遺骨結晶体製造機の内部主要構成を抜粋した斜視図及びそれに対する正面構成図（一）である。
【図７】本発明に係る遺骨結晶体製造機の内部主要構成を抜粋した斜視図及びそれに対する正面構成図（二）である。
【図８】図４による角度調節装置及び高さ調節装置部の構成を示すための要部拡大斜視図である。
【図９】本発明に係る遺骨結晶体製造機の冷却収集都の構成を示すための側面構成図である。
【図１０】図９に図示された第１送風機側の構成を示すための要部拡大斜視図である。
【図１１】図９に図示された第２送風機側の構成を示すための要部拡大斜視図である。
【図１２】図９に図示された収集桶側の構成を示すための要部拡大斜視図である。
【図１３】本発明に係る遺骨結晶体製造機の主要部作動状態を示す斜視図である。
【図１４】本発明に係る遺骨結晶体製造機の全体的な作動状態を示す作動状態図である。
【図１５】本発明に係る遺骨結晶体製造機の他の実施形態である。
【符号の説明】
【００５２】
１０    スピンドルプレート
１２ａ  上部噴霧ノズル
１２ｂ  下部噴霧ノズル
１３    調節部材
１５    冷却水貯蔵タンク  
２０    振動容器
２２    ダンパー
２４    駆動モータ
２５    回転軸
３０    支持ブラケット
３５    ブロワー
３６    送風管
３６０    先端部
４１    骨粉桶
４２    加熱炉
４３    支持軸
４４    回転取っ手
４５    加熱機構
４６    ハウジング
５０    冷却収集機
５１    第２通路部材
５１ａ  第１通路部材
５２    胴体
５２０    排出口
５２２    ラウンド部
５３    隔壁
５４ａ、５４ｂ、５４ｃ    送風機
５５    送風ノズル
５６    収集桶
５７    蓋
５８    キャスター
５９    送風ノズル
７０    角度調節装置
７２    リードスクリュー
７４    駆動モータ
７６    回動板
８０    高さ調節装置
８２    リードスクリュー
８３    取っ手
８４    シャードル
８６    縦移送台
Ａ      噴霧領域
Ｓ      スタッドボルト
Ｒ      遺骨結晶体
【図１】
2007050232.tif 000003
【図２】
2007050232.tif 000004
【図３】
2007050232.tif 000005
【図４】
2007050232.tif 000006
【図５】
2007050232.tif 000007
【図６】
2007050232.tif 000008
【図７】
2007050232.tif 000009
【図８】
2007050232.tif 000010
【図９】
2007050232.tif 000011
【図１０】
2007050232.tif 000012
【図１１】
2007050232.tif 000013
【図１２】
2007050232.tif 000014
【図１３】
2007050232.tif 000015
【図１４】
2007050232.tif 000016
【図１５】
2007050232.tif 000017